(57)【要約】【課題】補助容量が２つの画素間に跨って形成される画素レイアウトにおいて、レーザーアニールによるＴＦＴ特性を一定にすることで、画質不良の発生を抑えるようにする。【解決手段】Ｂ画素用の補助容量２５Ｂが水平方向において隣接する２つの画素間に跨って形成される画素レイアウト構造において、レーザーアニールによるＴＦＴ特性を一定にするために、補助容量２５Ｂが形成されないＲ，Ｇの画素間の領域、即ち補助容量２５Ｂと対応する部位に島状の金属パターン２６をダミーパターンとして形成する。【選択図】図１４
2010145444.tif 000002
【特許請求の範囲】
【請求項１】
電気光学素子と、映像信号を書き込む書込みトランジスタと、前記書込みトランジスタによって書き込まれた前記映像信号に応じて前記電気光学素子を駆動する駆動トランジスタと、前記駆動トランジスタのゲート電極とソース電極との間に接続され、前記書込みトランジスタによって書き込まれた前記映像信号を保持する保持容量と、前記電気光学素子のアノード電極と固定電位ノードとの間に接続された補助容量とを有する画素が行列状に配置され、
前記補助容量は、画素行の画素の配列方向において隣接する特定の２つの画素間に跨って形成され、
前記特定の２つの画素以外の２つの画素間の前記補助容量と対応する部位には島状の金属パターンが形成されている
表示装置。
【請求項２】
前記特定の２つの画素および当該特定の２つの画素以外の２つの画素は、２つの画素間の境界線に関して線対称な画素レイアウトになっている
請求項１記載の表示装置。
【請求項３】
前記固定電位ノードは、前記画素に電源電位を供給する電源供給線であり、
前記島状の金属パターンは、前記電源供給線の配線の一部と並列接続される
請求項１記載の表示装置。
【請求項４】
前記電源供給線は、前記画素に対して第１電源電位と当該第１電源電位よりも低い第２電源電位とを選択的に供給することによって前記電気光学素子の発光制御を行ない、
前記補助容量は、自段の画素行の前記駆動トランジスタのソース電極に一端が接続され、前段の画素行の前記電源供給線に他端が接続されている
請求項３記載の表示装置。
【請求項５】
前記画素は、前記駆動トランジスタに流れる電流に応じた補正量で当該駆動トランジスタのゲート−ソース間の電位差に負帰還をかけることによって前記駆動トランジスタの移動度を補正する移動度補正処理の機能を有する
請求項１記載の表示装置。
【請求項６】
前記移動度補正処理は、前記書込みトランジスタによる前記映像信号の書込み処理と並行して行われる
請求項５記載の表示装置。
【請求項７】
電気光学素子と、映像信号を書き込む書込みトランジスタと、前記書込みトランジスタによって書き込まれた前記映像信号に応じて前記電気光学素子を駆動する駆動トランジスタと、前記駆動トランジスタのゲート電極とソース電極との間に接続され、前記書込みトランジスタによって書き込まれた前記映像信号を保持する保持容量と、前記電気光学素子のアノード電極と固定電位ノードとの間に接続された補助容量とを有する画素が行列状に配置された表示装置の画素のレイアウトに当たって、
前記補助容量を画素行の画素の配列方向において隣接する特定の２つの画素間を跨いで形成する一方、
前記特定の２つの画素以外の２つの画素間の前記補助容量と対応する部位には島状の金属パターンを形成する
表示装置の画素レイアウト方法。
【請求項８】
電気光学素子と、映像信号を書き込む書込みトランジスタと、前記書込みトランジスタによって書き込まれた前記映像信号に応じて前記電気光学素子を駆動する駆動トランジスタと、前記駆動トランジスタのゲート電極とソース電極との間に接続され、前記書込みトランジスタによって書き込まれた前記映像信号を保持する保持容量と、前記電気光学素子のアノード電極と固定電位ノードとの間に接続された補助容量とを有する画素が行列状に配置され、
前記補助容量は、画素行の画素の配列方向において隣接する特定の２つの画素間に跨って形成され、
前記特定の２つの画素以外の２つの画素間の前記補助容量と対応する部位には島状の金属パターンが形成されている
表示装置を有する電子機器。
【発明の詳細な説明】
【技術分野】
【０００１】
本発明は、表示装置、表示装置の画素レイアウト方法および電子機器に関し、特に電気光学素子を含む画素が行列状に２次元配置された平面型（フラットパネル型）表示装置、当該表示装置の画素レイアウト方法および当該表示装置を有する電子機器に関する。
【背景技術】
【０００２】
近年、画像表示を行う表示装置の分野では、発光素子を含む画素（以下、「画素回路」と記述する場合もある）が行列状に２次元配置されてなる平面型の表示装置が急速に普及している。平面型の表示装置の一つとして、デバイスに流れる電流値に応じて発光輝度が変化するいわゆる電流駆動型の電気光学素子を画素の発光素子として用いた表示装置がある。電流駆動型の電気光学素子としては、有機薄膜に電界をかけると発光する現象を利用した有機ＥＬ(Electro Luminescence)素子が知られている。
【０００３】
この有機ＥＬ素子を画素の発光素子として用いた有機ＥＬ表示装置は次のような特長を持っている。すなわち、有機ＥＬ素子は、１０Ｖ以下の印加電圧で駆動できるために低消費電力である。有機ＥＬ素子は、自発光素子であるために、画素ごとに液晶にて光源からの光強度を制御することによって画像を表示する液晶表示装置に比べて、画像の視認性が高く、しかもバックライト等の光源を必要としないために軽量化および薄型化が容易である。さらに、有機ＥＬ素子の応答速度が数μｓｅｃ程度と非常に高速であるために動画表示時の残像が発生しない。
【０００４】
有機ＥＬ表示装置では、液晶表示装置と同様に、その駆動方式として単純（パッシブ）マトリクス方式とアクティブマトリクス方式とを採ることができる。ただし、単純マトリクス方式の表示装置は、構造が簡単であるものの、電気光学素子の発光期間が走査線（即ち、画素数）の増加によって減少するために、大型でかつ高精細な表示装置の実現が難しいなどの問題がある。
【０００５】
そのため、近年、電気光学素子に流れる電流を、当該電気光学素子と同じ画素内に設けた能動素子、例えば絶縁ゲート型電界効果トランジスタによって制御するアクティブマトリクス方式の表示装置の開発が盛んに行われている。絶縁ゲート型電界効果トランジスタとしては、一般には、ＴＦＴ(Thin Film Transistor;薄膜トランジスタ)が用いられる。アクティブマトリクス方式の表示装置は、電気光学素子が１フレームの期間に亘って発光を持続するために、大型でかつ高精細な表示装置の実現が容易である。
【０００６】
アクティブマトリクス方式の有機ＥＬ表示装置において、画素（画素回路）は、有機ＥＬ素子の駆動回路として、駆動トランジスタ、書込みトランジスタおよび保持容量を少なくとも有する構成となっている（例えば、特許文献１参照）。駆動トランジスタは、有機ＥＬ素子を電流駆動する。書込みトランジスタは、映像信号をサンプリングして画素内に書き込む。保持容量は、書込みトランジスタによって書き込まれた映像信号を保持する。
【０００７】
ところで、近年、表示装置の高精細化、低消費電力化が進んでいる。そして、表示装置の高精細化が進むと、有機ＥＬ素子のサイズが小さくなり、それに伴って有機ＥＬ素子の寄生容量の容量値が小さくなる。また、表示装置の低消費電力化に当たっては、画素に書き込む映像信号の低振幅化が図られる。
【０００８】
ここで、書込みトランジスタによる映像信号の書込み動作において、映像信号の書込みによって駆動トランジスタのゲート電位Ｖｇが上昇する際に、保持容量と有機ＥＬ素子の寄生容量とのカップリングによって駆動トランジスタのソース電圧Ｖｓも上昇する。ここで、ゲート電位の上昇分をΔＶｇ、保持容量の容量値をＣｃｓ、有機ＥＬ素子の寄生容量の容量値をＣｅｌとすると、ソース電圧の上昇分ΔＶｓは、次式（１）で与えられる。
ΔＶｓ＝ΔＶｇ×｛Ｃｃｓ／（Ｃｃｓ＋Ｃｅｌ）｝              ……（１）
【０００９】
そして、表示装置の高精細化による画素の微細化に伴って有機ＥＬ素子の寄生容量の容量値Ｃｅｌが小さくなると、上記式（１）から明らかなように、駆動トランジスタのソース電圧Ｖｓの上昇分ΔＶｓが大きくなる。これにより、駆動トランジスタの駆動電圧、即ちゲート−ソース間電圧Ｖｇｓが小さくなる。その結果、入力される映像信号の振幅に対応した発光輝度が得られなくなる。映像信号の振幅を大きくすることで、発光輝度の低下を抑えることはできるものの、表示装置の低消費電力化を阻むことになる。
【００１０】
以上では、電気光学素子が有機ＥＬ素子の場合を例に挙げて従来の問題点について述べたが、有機ＥＬ素子の場合に限らず、寄生容量を持つ電気光学素子全般に対して言えることである。
【００１１】
電気光学素子の寄生不足を補いため、従来は、電気光学素子のアノード電極（駆動トランジスタのソース電極）と固定電位ノードとの間に補助容量を付加する構成を採っている（例えば、特許文献２参照）。この補助容量は、電気光学素子の寄生容量の容量値が小さくても当該電気光学素子の容量の不足分を補うことで、信号書込み時の駆動トランジスタのソース電圧Ｖｓの上昇を抑える作用を為す。この補助容量の作用により、映像信号の振幅を大きくしなくても、駆動トランジスタの駆動電圧を確保できる。
【００１２】
【特許文献１】特開２００５−３４５７２２号公報
【特許文献２】特開２００８−０５１９９０号公報
【発明の開示】
【発明が解決しようとする課題】
【００１３】
ところで、有機ＥＬ素子の発光効率は、有機材料などに起因して発光色ごとに異なる。そのため、有機ＥＬ素子を駆動する駆動トランジスタのサイズ（駆動能力）や駆動電流が有機ＥＬ素子の発光色ごとに異なる。したがって、画素に付加する補助容量の容量値も有機ＥＬ素子の発光色ごとに異ならせる必要がある。
【００１４】
一例として、カラー画像を形成する単位となる１つの画素が、Ｒ（赤）Ｇ（緑）Ｂ（青）の３つの副画素からなる場合を例に挙げる。例えば、Ｂの有機ＥＬ素子の有機材料の膜厚が他の色の有機ＥＬ素子よりも一般的に厚いとすると、Ｂの有機ＥＬ素子の発光効率が他の色の有機ＥＬ素子に比較して小さくなるために、Ｂの副画素の補助容量の容量値を一番大きくする必要がある。
【００１５】
また、表示装置の大型化が進み、それに対応して有機ＥＬ素子の面積が大きくなると、発光色ごとの寄生容量のサイズ差がより大きくなってしまう。そのため、前述の例では特にＢの副画素に付加する補助容量のサイズは非常に大きなものとなる。この補助容量の作成に当たっては、画素行の画素の配列方向（水平方向）において隣接する２つの画素（副画素）同士を線対称な画素レイアウトとすることで、２つの画素間に跨って隣接画素の領域にも補助容量を作成可能になる（その詳細については後述する）。これにより、大きなサイズの補助容量をレイアウトできる。
【００１６】
そして、図１０に示すように、サイズが一番大きいＢの副画素の補助容量２５Ｂを隣接画素の領域に亘って形成するとした場合、当該補助容量２５ＢはＢの副画素とＲの副画素との間およびＢの副画素とＧの副画素と間に跨って形成され、隣接するＲ，Ｇの副画素間には形成されない。図１０に示すレイアウトにおいて、Ｒの副画素のみ、Ｇの副画素のみを見た場合、補助容量２５Ｂを形成する金属層の有り無しが１ラインごとに発生してしまう。
【００１７】
このため、後述するレーザーアニール工程において、補助容量２５Ｂの金属パターンの有り無しによってＴＦＴ上のアモルファスシリコンへの熱の伝わり方が異なるという状況が発生するために、ＴＦＴ特性がばらついてしまう。その結果、１ラインごとにスジが発生するために、表示画像の画質が損なわれる。
【００１８】
そこで、本発明は、補助容量が２つの画素間に跨って形成される画素レイアウトにおいて、レーザーアニールによるＴＦＴ特性を一定にすることが可能な表示装置、当該表示装置の画素レイアウト方法および当該表示装置を有する電子機器を提供することを目的とする。
【課題を解決するための手段】
【００１９】
上記目的を達成するために、本発明は、
電気光学素子と、映像信号を書き込む書込みトランジスタと、前記書込みトランジスタによって書き込まれた前記映像信号に応じて前記電気光学素子を駆動する駆動トランジスタと、前記駆動トランジスタのゲート電極とソース電極との間に接続され、前記書込みトランジスタによって書き込まれた前記映像信号を保持する保持容量と、前記電気光学素子のアノード電極と固定電位ノードとの間に接続された補助容量とを有する画素が行列状に配置された表示装置において、
前記補助容量を画素行の画素の配列方向において隣接する特定の２つの画素間を跨いで形成する一方、
前記特定の２つの画素以外の２つの画素間の前記補助容量と対応する部位には島状の金属パターンを形成する。
【００２０】
補助容量が２つの画素間に跨って形成される場合において、特定の２つの画素以外の２つの画素間の補助容量と対応する部位に、島状の金属パターンを形成することで、いずれの２つの画素間にも、補助容量に対応した金属パターンが存在することになる。これにより、レーザーアニール時にＴＦＴ上のアモルファスシリコンへの熱の伝わり方が一様になるために、レーザーアニールによるＴＦＴ特性を一定とすることができる。
【発明の効果】
【００２１】
本発明によれば、補助容量が２つの画素間に跨って形成される場合において、レーザーアニールによるＴＦＴ特性を一定にすることができるために、スジのない均一な画質を得ることができる。
【発明を実施するための最良の形態】
【００２２】
以下、発明を実施するための最良の形態（以下、「実施形態」と記述する）について図面を用いて詳細に説明する。なお、説明は以下の順序で行う。
１．基本例に係る有機ＥＬ表示装置（２Ｔｒの画素構成）
２．実施例１（補助容量の他端を共通電源供給線に接続）
３．実施例２（補助容量の他端を前段の画素行の電源供給線に接続）
４．変形例
５．適用例（電子機器）
【００２３】
＜１．基本例＞
［システム構成］
図１は、本発明の基本例に係るアクティブマトリクス型表示装置の構成の概略を示すシステム構成図である。ここでは、一例として、デバイスに流れる電流値に応じて発光輝度が変化する電流駆動型の電気光学素子、例えば有機ＥＬ素子を画素（画素回路）の発光素子として用いたアクティブマトリクス型有機ＥＬ表示装置の場合を例に挙げて説明するものとする。
【００２４】
図１に示すように、本基本例に係る有機ＥＬ表示装置１０は、発光素子を含む複数の画素２０と、当該画素２０が行列状に２次元配置された画素アレイ部３０と、当該画素アレイ部３０の周辺に配置された駆動部とを有する構成となっている。駆動部は、画素アレイ部３０の各画素２０を発光駆動する。
【００２５】
画素２０の駆動部は、例えば、書込み走査回路４０および電源供給走査回路５０からなる走査駆動系と、信号出力回路６０からなる信号供給系とからなる構成となっている。本適用例に係る有機ＥＬ表示装置１０の場合には、画素アレイ部３０が形成された表示パネル７０上に信号出力回路６０が設けられているのに対して、書込み走査回路４０および電源供給走査回路５０はそれぞれ、表示パネル（基板）７０の外部に設けられている。
【００２６】
ここで、有機ＥＬ表示装置１０が白黒表示対応の場合は、白黒画像を形成する単位となる１つの画素が画素２０に相当する。一方、有機ＥＬ表示装置１０がカラー表示対応の場合は、カラー画像を形成する単位となる１つの画素は複数の副画素（サブピクセル）から構成され、この副画素が画素２０に相当する。より具体的には、カラー表示用の表示装置では、１つの画素は、例えば、赤色（Ｒ）光を発光する副画素、緑色（Ｇ）光を発光する副画素、青色（Ｂ）光を発光する副画素の３つの副画素から構成される。
【００２７】
ただし、１つの画素としては、ＲＧＢの３原色の副画素の組み合わせに限られるものではない。すなわち、３原色の副画素にさらに１色あるいは複数色の副画素を加えて１つの画素を構成するようにすることも可能である。より具体的には、例えば、輝度向上のために白色（Ｗ）光を発光する副画素を加えて１つの画素を構成したり、色再現範囲を拡大するために補色光を発光する少なくとも１つの副画素を加えて１つの画素を構成したりすることも可能である。
【００２８】
画素アレイ部３０には、ｍ行ｎ列の画素２０の配列に対して、行方向（画素行の画素の配列方向／水平方向）に沿って走査線３１−１〜３１−ｍと電源供給線３２−１〜３２−ｍとが画素行ごとに配線されている。さらに、列方向（画素列の画素の配列方向／垂直方向）に沿って信号線３３−１〜３３−ｎが画素列ごとに配線されている。
【００２９】
走査線３１−１〜３１−ｍは、書込み走査回路４０の対応する行の出力端にそれぞれ接続されている。電源供給線３２−１〜３２−ｍは、電源供給走査回路５０の対応する行の出力端にそれぞれ接続されている。信号線３３−１〜３３−ｎは、信号出力回路６０の対応する列の出力端にそれぞれ接続されている。
【００３０】
画素アレイ部３０は、通常、ガラス基板などの透明絶縁基板上に形成されている。これにより、有機ＥＬ表示装置１０は、平面型（フラット型）のパネル構造となっている。画素アレイ部３０の各画素２０の駆動回路は、アモルファスシリコンＴＦＴまたは低温ポリシリコンＴＦＴを用いて形成することができる。低温ポリシリコンＴＦＴを用いる場合には、書込み走査回路４０および電源供給走査回路５０についても、表示パネル７０上に実装することができる。
【００３１】
書込み走査回路４０は、クロックパルスｃｋに同期してスタートパルスｓｐを順にシフト（転送）するシフトレジスタ等によって構成されている。この書込み走査回路４０は、画素アレイ部３０の各画素２０への映像信号の書込みに際して、走査線３１−１〜３１−ｍに順次書込み走査信号ＷＳ（ＷＳ１〜ＷＳｍ）を供給することによって画素アレイ部３０の各画素２０を行単位で順番に走査する（線順次走査）。
【００３２】
電源供給走査回路５０は、クロックパルスｃｋに同期してスタートパルスｓｐを順にシフトするシフトレジスタ等によって構成されている。この電源供給走査回路５０は、書込み走査回路４０による線順次走査に同期して、第１電源電位Ｖｃｃと当該第１電源電位Ｖｃｃよりも低い第２電源電位Ｖｓｓで切り替わる電源電位ＤＳ（ＤＳ１〜ＤＳｍ）を電源供給線３２−１〜３２−ｍに供給する。この電源電位ＤＳのＶｃｃ／Ｖｓｓの切替えにより、画素２０の発光制御（発光／非発光の制御）が行なわれる。
【００３３】
信号出力回路６０は、信号供給源（図示せず）から供給される輝度情報に応じた映像信号の信号電圧（以下、単に「信号電圧」と記述する場合もある）Ｖｓｉｇと基準電位Ｖｏｆｓのいずれか一方を適宜選択して出力する。ここで、信号出力回路６０から選択的に出力される基準電位Ｖｏｆｓは、映像信号の信号電圧Ｖｓｉｇの基準となる電位（例えば、映像信号の黒レベルに相当する電位）である。
【００３４】
信号出力回路６０は、例えば、周知の時分割駆動方式の回路構成を採る。時分割駆動方式は、セレクタ方式とも呼ばれ、信号供給源であるドライバ（図示せず）の１つの出力端に対して複数の信号線を単位（組）として割り当る。そして、この複数の信号線を時分割にて順次選択する一方、その選択した信号線に対してドライバの出力端ごとに時系列で出力される映像信号を時分割で振り分けて供給することによって各信号線を駆動する方式である。
【００３５】
一例として、カラー表示対応の場合を例に挙げると、隣り合うＲ，Ｇ，Ｂの３つの画素列を単位とし、ドライバからは１水平期間内にＲ，Ｇ，Ｂの各映像信号が時系列で信号出力回路６０に入力するようにする。信号出力回路６０は、Ｒ，Ｇ，Ｂの３つの画素列に対応して設けられたセレクタ（選択スイッチ）によって構成され、当該セレクタが時分割にて順次オン動作を行うことで、Ｒ，Ｇ，Ｂの各映像信号を対応する信号線に対して時分割で書き込む。
【００３６】
ここでは、Ｒ，Ｇ，Ｂの３つの画素列（信号線）を単位としたが、これに限られるものではない。そして、この時分割駆動方式（セレクタ方式）を採用することで、時分割数をｘ（ｘは２以上の整数）とすると、ドライバの出力数および当該ドライバと信号出力回路６０、ひいては表示パネル７０との間の配線数を、信号線の本数の１／ｘに削減できる利点がある。
【００３７】
信号出力回路６０から選択的に出力される信号電圧Ｖｓｉｇ／基準電位Ｖｏｆｓは、信号線３３−１〜３３−ｎを介して画素アレイ部３０の各画素２０に対して行単位で書き込まれる。すなわち、信号出力回路６０は、信号電圧Ｖｓｉｇを行（ライン）単位で書き込む線順次書込みの駆動形態を採っている。
【００３８】
（画素回路）
図２は、本基本例に係る有機ＥＬ表示装置１０に用いられる画素（画素回路）２０の具体的な構成例を示す回路図である。
【００３９】
図２に示すように、画素２０は、デバイスに流れる電流値に応じて発光輝度が変化する電流駆動型の電気光学素子、例えば有機ＥＬ素子２１と、当該有機ＥＬ素子２１を駆動する駆動回路とによって構成されている。有機ＥＬ素子２１は、全ての画素２０に対して共通に配線（いわゆる、ベタ配線）された共通電源供給線３４にカソード電極が接続されている。
【００４０】
有機ＥＬ素子２１を駆動する駆動回路は、駆動トランジスタ２２、書込みトランジスタ（サンプリングトランジスタ）２３および保持容量２４を有する構成となっている。ここでは、駆動トランジスタ２２および書込みトランジスタ２３としてＮチャネル型のＴＦＴを用いている。ただし、駆動トランジスタ２２および書込みトランジスタ２３の導電型の組み合わせは一例に過ぎず、これらの組み合わせに限られるものではない。
【００４１】
なお、駆動トランジスタ２２および書込みトランジスタ２３としてＮチャネル型のＴＦＴを用いると、アモルファスシリコン（ａ−Ｓｉ）プロセスを用いることができる。ａ−Ｓｉプロセスを用いることで、ＴＦＴを作成する基板の低コスト化、ひいては本有機ＥＬ表示装置１０の低コスト化を図ることが可能になる。また、駆動トランジスタ２２および書込みトランジスタ２３を同じ導電型の組み合わせにすると、両トランジスタ２２，２３を同じプロセスで作成することができるため低コスト化に寄与できる。
【００４２】
駆動トランジスタ２２は、一方の電極（ソース／ドレイン電極）が有機ＥＬ素子２１のアノード電極に接続され、他方の電極（ドレイン／ソース電極）が電源供給線３２（３２−１〜３２−ｍ）に接続されている。
【００４３】
書込みトランジスタ２３は、ゲート電極が走査線３１（３１−１〜３１−ｍ）に接続され、一方の電極（ソース／ドレイン電極）が信号線３３（３３−１〜３３−ｎ）に接続され、他方の電極（ドレイン／ソース電極）が駆動トランジスタ２２のゲート電極に接続されている。
【００４４】
駆動トランジスタ２２および書込みトランジスタ２３において、一方の電極とは、ソース／ドレイン領域に電気的に接続された金属配線を言い、他方の電極とは、ドレイン／ソース領域に電気的に接続された金属配線を言う。また、一方の電極と他方の電極との電位関係によって一方の電極がソース電極ともなればドレイン電極ともなり、他方の電極がドレイン電極ともなればソース電極ともなる。
【００４５】
保持容量２４は、一方の電極が駆動トランジスタ２２のゲート電極に接続され、他方の電極が駆動トランジスタ２２の他方の電極および有機ＥＬ素子２１のアノード電極に接続されている。
【００４６】
上記構成の画素２０において、書込みトランジスタ２３は、書込み走査回路４０から走査線３１を通してゲート電極に印加されるＨｉｇｈアクティブの書込み走査信号ＷＳに応答して導通状態となる。これにより、書込みトランジスタ２３は、信号線３３を通して信号出力回路６０から供給される輝度情報に応じた映像信号の信号電圧Ｖｓｉｇまたは基準電位Ｖｏｆｓをサンプリングして画素２０内に書き込む。この書き込まれた信号電圧Ｖｓｉｇまたは基準電位Ｖｏｆｓは、駆動トランジスタ２２のゲート電極に印加されるとともに保持容量２４に保持される。
【００４７】
駆動トランジスタ２２は、電源供給線３２（３２−１〜３２−ｍ）の電位（以下、「電源電位」と記述する場合もある）ＤＳが第１電源電位Ｖｃｃにあるときには、一方の電極がドレイン電極、他方の電極がソース電極となって飽和領域で動作する。これにより、駆動トランジスタ２２は、電源供給線３２から電流の供給を受けて有機ＥＬ素子２１を電流駆動にて発光駆動する。より具体的には、駆動トランジスタ２２は、飽和領域で動作することにより、保持容量２４に保持されている信号電圧Ｖｓｉｇの電圧値に応じた電流値の駆動電流を有機ＥＬ素子２１に供給し、当該有機ＥＬ素子２１を電流駆動することによって発光させる。
【００４８】
駆動トランジスタ２２はさらに、電源電位ＤＳが第１電源電位Ｖｃｃから第２電源電位Ｖｓｓに切り替わったときは、一方の電極がソース電極、他方の電極がドレイン電極となってスイッチングトランジスタとして動作する。そして、駆動トランジスタ２２は、スイッチング動作によって有機ＥＬ素子２１への駆動電流の供給を停止することで、有機ＥＬ素子２１を非発光状態にする。すなわち、駆動トランジスタ２２は、有機ＥＬ素子２１の発光／非発光を制御するトランジスタとしての機能をも併せ持っている。
【００４９】
このようにして、駆動トランジスタ２２のスイッチング動作により、有機ＥＬ素子２１が非発光状態となる期間（非発光期間）を設け、有機ＥＬ素子２１の発光期間と非発光期間との割合を制御する（いわゆる、デューティ制御）。このデューティ制御により、１フレーム期間に亘って画素２０が発光することに伴う残像ボケを低減できるために、特に動画の画品位をより優れたものとすることができる。
【００５０】
電源供給走査回路５０から電源供給線３２を通して選択的に供給される第１，第２電源電位Ｖｃｃ，Ｖｓｓのうち、第１電源電位Ｖｃｃは有機ＥＬ素子２１を発光駆動する駆動電流を駆動トランジスタ２２に供給するための電源電位である。また、第２電源電位Ｖｓｓは、有機ＥＬ素子２１に対して逆バイアスを掛けるための電源電位である。この第２電源電位Ｖｓｓは、信号電圧Ｖｓｉｇの基準となる基準電位Ｖｏｆｓよりも低い電位、例えば、駆動トランジスタ２２の閾値電圧をＶｔｈとするときＶｏｆｓ−Ｖｔｈよりも低い電位、好ましくはＶｏｆｓ−Ｖｔｈよりも十分に低い電位に設定される。
【００５１】
（画素構造）
図３は、画素２０の断面構造の一例を示す断面図である。図３に示すように、画素２０は、駆動トランジスタ２２等を含む駆動回路が形成されたガラス基板２０１上に形成されている。具体的には、ガラス基板２０１上に絶縁膜２０２、絶縁平坦化膜２０３およびウインド絶縁膜２０４がその順に形成され、当該ウインド絶縁膜２０４の凹部２０４Ａに有機ＥＬ素子２１が設けられた構成となっている。ここでは、駆動回路の各構成素子の内、駆動トランジスタ２２のみを図示し、他の構成素子については省略している。
【００５２】
有機ＥＬ素子２１は、金属等からなるアノード電極２０５と、当該アノード電極２０５上に形成された有機層２０６と、当該有機層２０６上に全画素共通に形成された透明導電膜等からなるカソード電極２０７とから構成されている。アノード電極２０５は、上記ウインド絶縁膜２０４の凹部２０４Ａの底部に形成されている。
【００５３】
この有機ＥＬ素子２１において、有機層２０６は、アノード電極２０５上にホール輸送層/ホール注入層２０６１、発光層２０６２、電子輸送層２０６３および電子注入層（図示せず）が順次堆積されることによって形成される。そして、図２の駆動トランジスタ２２による電流駆動の下に、駆動トランジスタ２２からアノード電極２０５を通して有機層２０６に電流が流れることで、当該有機層２０６内の発光層２０６２において電子と正孔が再結合する際に発光するようになっている。
【００５４】
駆動トランジスタ２２は、ゲート電極２２１と、半導体層２２２のゲート電極２２１と対向する部分のチャネル形成領域２２５と、半導体層２２２のチャネル形成領域２２５の両側のドレイン／ソース領域２２３，２２４とから構成されている。ソース／ドレイン領域２２３は、コンタクトホールを介して有機ＥＬ素子２１のアノード電極２０５と電気的に接続されている。
【００５５】
そして、図３に示すように、駆動トランジスタ２２を含む駆動回路が形成されたガラス基板２０１上に、絶縁膜２０２、絶縁平坦化膜２０３およびウインド絶縁膜２０４を介して有機ＥＬ素子２１が画素単位で形成される。しかる後、パッシベーション膜２０８を介して封止基板２０９が接着剤２１０によって接合され、当該封止基板２０９によって有機ＥＬ素子２１が封止されることによって表示パネル７０が形成される。
【００５６】
［基本例に係る有機ＥＬ表示装置の回路動作］
次に、本基本例に係る有機ＥＬ表示装置１０の回路動作について、図４のタイミング波形図を基に図５および図６の動作説明図を用いて説明する。
【００５７】
なお、図５および図６の動作説明図では、図面の簡略化のために、書込みトランジスタ２３をスイッチのシンボルで図示している。また、周知の通り、有機ＥＬ素子２１は等価容量（寄生容量）Ｃｅｌを持っている。したがって、ここでは、等価容量Ｃｅｌについても図示している。
【００５８】
図４のタイミング波形図には、走査線３１の電位（書込み走査信号）ＷＳ、電源供給線３２の電位（電源電位）ＤＳ、信号線３３の電位（Ｖｏｆｓ／Ｖｓｉｇ）、駆動トランジスタ２２のゲート電圧Ｖｇおよびソース電圧Ｖｓの変化を示している。
【００５９】
〔前フレームの発光期間〕
図４のタイミング波形図において、時刻ｔ１以前は、前のフレーム（フィールド）における有機ＥＬ素子２１の発光期間となる。この前フレームの発光期間では、電源供給線３２の電位ＤＳが第１電源電位（以下、「高電位」と記述する）Ｖｃｃにあり、また、書込みトランジスタ２３が非導通状態にある。
【００６０】
このとき、駆動トランジスタ２２は飽和領域で動作するように設計されている。これにより、図５（Ａ）に示すように、駆動トランジスタ２２のゲート−ソース間電圧Ｖｇｓに応じた駆動電流（ドレイン−ソース間電流）Ｉｄｓが、電源供給線３２から駆動トランジスタ２２を通して有機ＥＬ素子２１に供給される。よって、有機ＥＬ素子２１が駆動電流Ｉｄｓの電流値に応じた輝度で発光する。
【００６１】
〔閾値補正準備期間〕
時刻ｔ１になると、線順次走査の新しいフレーム（現フレーム）に入る。そして、図５（Ｂ）に示すように、電源供給線３２の電位ＤＳが高電位Ｖｃｃから第２電源電位（以下、「低電位」と記述する）Ｖｓｓに切り替わる。低電位Ｖｓｓは、信号線３３の基準電位Ｖｏｆｓに対してＶｏｆｓ−Ｖｔｈよりも十分に低い電位である。
【００６２】
ここで、有機ＥＬ素子２１の閾値電圧をＶｔｈｅｌ、共通電源供給線３４の電位（カソード電位）をＶｃａｔｈとする。このとき、低電位ＶｓｓをＶｓｓ＜Ｖｔｈｅｌ＋Ｖｃａｔｈとすると、駆動トランジスタ２２のソース電圧Ｖｓが低電位Ｖｓｓにほぼ等しくなるために、有機ＥＬ素子２１は逆バイアス状態となる。したがって、有機ＥＬ素子２１は消光する。
【００６３】
次に、時刻ｔ２で走査線３１の電位ＷＳが低電位側から高電位側に遷移することで、図５（Ｃ）に示すように、書込みトランジスタ２３が導通状態となる。このとき、信号出力回路６０から信号線３３に対して基準電位Ｖｏｆｓが供給されているために、駆動トランジスタ２２のゲート電圧Ｖｇが基準電位Ｖｏｆｓになる。また、駆動トランジスタ２２のソース電圧Ｖｓは、基準電位Ｖｏｆｓよりも十分に低い電位Ｖｓｓにある。
【００６４】
このとき、駆動トランジスタ２２のゲート−ソース間電圧ＶｇｓはＶｏｆｓ−Ｖｓｓとなる。ここで、Ｖｏｆｓ−Ｖｓｓが駆動トランジスタ２２の閾値電圧Ｖｔｈよりも大きくないと、後述する閾値補正処理を行うことができないために、Ｖｏｆｓ−Ｖｓｓ＞Ｖｔｈなる電位関係に設定する必要がある。
【００６５】
このように、駆動トランジスタ２２のゲート電圧Ｖｇを基準電位Ｖｏｆｓに、ソース電圧Ｖｓを低電位Ｖｓｓにそれぞれ固定して（確定させて）初期化する処理が、後述する閾値補正処理を行う前段階の準備（閾値補正準備）の処理である。したがって、基準電位Ｖｏｆｓおよび低電位Ｖｓｓは、駆動トランジスタ２２のゲート電圧Ｖｇおよびソース電圧Ｖｓの各初期化電位となる。
【００６６】
〔閾値補正期間〕
次に、時刻ｔ３で、図５（Ｄ）に示すように、電源供給線３２の電位ＤＳが低電位Ｖｓｓから高電位Ｖｃｃに切り替わると、駆動トランジスタ２２のゲート電圧Ｖｇが保たれた状態で閾値補正処理が開始される。すなわち、ゲート電圧Ｖｇから駆動トランジスタ２２の閾値電圧Ｖｔｈを減じた電位に向けて駆動トランジスタ２２のソース電圧Ｖｓが上昇を開始する。
【００６７】
ここでは、駆動トランジスタ２２のゲート電圧Ｖｇの初期化電位Ｖｏｆｓを基準とし、当該初期化電位Ｖｏｆｓから駆動トランジスタ２２の閾値電圧Ｖｔｈを減じた電位に向けてソース電圧Ｖｓを変化させる処理を閾値補正処理と呼んでいる。この閾値補正処理が進むと、やがて、駆動トランジスタ２２のゲート−ソース間電圧Ｖｇｓが駆動トランジスタ２２の閾値電圧Ｖｔｈに収束する。この閾値電圧Ｖｔｈに相当する電圧は保持容量２４に保持される。
【００６８】
なお、閾値補正処理を行う期間（閾値補正期間）において、電流が専ら保持容量２４側に流れ、有機ＥＬ素子２１側には流れないようにする必要がある。そのために、有機ＥＬ素子２１がカットオフ状態となるように共通電源供給線３４の電位Ｖｃａｔｈを設定しておくこととする。
【００６９】
次に、時刻ｔ４で走査線３１の電位ＷＳが低電位側に遷移することで、図６（Ａ）に示すように、書込みトランジスタ２３が非導通状態となる。このとき、駆動トランジスタ２２のゲート電極が信号線３３から電気的に切り離されることによってフローティング状態になる。しかし、ゲート−ソース間電圧Ｖｇｓが駆動トランジスタ２２の閾値電圧Ｖｔｈに等しいために、当該駆動トランジスタ２２はカットオフ状態にある。したがって、駆動トランジスタ２２にドレイン−ソース間電流Ｉｄｓは流れない。
【００７０】
〔信号書込み＆移動度補正期間〕
次に、時刻ｔ５で、図６（Ｂ）に示すように、信号線３３の電位が基準電位Ｖｏｆｓから映像信号の信号電圧Ｖｓｉｇに切り替わる。続いて、時刻ｔ６で、走査線３１の電位ＷＳが高電位側に遷移することで、図６（Ｃ）に示すように、書込みトランジスタ２３が導通状態になって映像信号の信号電圧Ｖｓｉｇをサンプリングし、当該信号電圧Ｖｓｉｇを画素２０内に書き込む。
【００７１】
この書込みトランジスタ２３による信号電圧Ｖｓｉｇの書込みにより、駆動トランジスタ２２のゲート電圧Ｖｇが信号電圧Ｖｓｉｇとなる。そして、映像信号の信号電圧Ｖｓｉｇによる駆動トランジスタ２２の駆動の際に、当該駆動トランジスタ２２の閾値電圧Ｖｔｈが保持容量２４に保持された閾値電圧Ｖｔｈに相当する電圧とキャンセルされる。この閾値キャンセルの原理の詳細については後述する。
【００７２】
このとき、有機ＥＬ素子２１はカットオフ状態（ハイインピーダンス状態）にある。したがって、映像信号の信号電圧Ｖｓｉｇに応じて電源供給線３２から駆動トランジスタ２２に流れる電流（ドレイン−ソース間電流Ｉｄｓ）は有機ＥＬ素子２１の等価容量Ｃｅｌに流れ込む。このドレイン−ソース間電流Ｉｄｓにより、有機ＥＬ素子２１の等価容量Ｃｅｌの充電が開始される。
【００７３】
この等価容量Ｃｅｌの充電により、駆動トランジスタ２２のソース電圧Ｖｓが時間の経過と共に上昇していく。このとき既に、駆動トランジスタ２２の閾値電圧Ｖｔｈの画素ごとのばらつきがキャンセルされており、駆動トランジスタ２２のドレイン−ソース間電流Ｉｄｓは当該駆動トランジスタ２２の移動度μに依存したものとなる。ここに、移動度μとは、駆動トランジスタ２２のチャネルを構成する半導体薄膜の電子移動度である。
【００７４】
ここで、映像信号の信号電圧Ｖｓｉｇに対する保持容量２４の保持電圧Ｖｇｓの比率が１（理想値）であると仮定する。この信号電圧Ｖｓｉｇに対する保持電圧Ｖｇｓの比率を書込みゲインと呼ぶ場合もある。すると、駆動トランジスタ２２のソース電圧ＶｓがＶｏｆｓ−Ｖｔｈ＋ΔＶの電位まで上昇することで、駆動トランジスタ２２のゲート‐ソース間電圧ＶｇｓはＶｓｉｇ−Ｖｏｆｓ＋Ｖｔｈ−ΔＶとなる。
【００７５】
すなわち、駆動トランジスタ２２のソース電圧Ｖｓの上昇分ΔＶは、保持容量２４に保持された電圧（Ｖｓｉｇ−Ｖｏｆｓ＋Ｖｔｈ）から差し引かれるように作用する。換言すれば、ソース電圧Ｖｓの上昇分ΔＶは、保持容量２４の充電電荷を放電するように作用し、負帰還がかけられたことになる。したがって、駆動トランジスタ２２のソース電圧Ｖｓの上昇分ΔＶは負帰還の帰還量となる。
【００７６】
このように、駆動トランジスタ２２に流れるドレイン−ソース間電流Ｉｄｓに応じた帰還量ΔＶでゲート‐ソース間電圧Ｖｇｓに負帰還をかけることで、駆動トランジスタ２２のドレイン−ソース間電流Ｉｄｓの移動度μに対する依存性を打ち消すことができる。この移動度μに対する依存性を打ち消す処理が、駆動トランジスタ２２の移動度μの画素ごとのばらつきを補正する移動度補正処理である。
【００７７】
より具体的には、駆動トランジスタ２２のゲート電極に書き込まれる映像信号の信号振幅Ｖｉｎ（＝Ｖｓｉｇ−Ｖｏｆｓ）が高いほどドレイン−ソース間電流Ｉｄｓが大きくなるために、負帰還の帰還量ΔＶの絶対値も大きくなる。したがって、発光輝度レベルに応じた移動度補正処理が行われる。
【００７８】
また、映像信号の信号振幅Ｖｉｎを一定とした場合、駆動トランジスタ２２の移動度μが大きいほど負帰還の帰還量ΔＶの絶対値も大きくなるために、画素ごとの移動度μのばらつきを取り除くことができる。したがって、負帰還の帰還量ΔＶは移動度補正の補正量とも言える。移動度補正の原理の詳細については後述する。
【００７９】
〔発光期間〕
次に、時刻ｔ７で走査線３１の電位ＷＳが低電位側に遷移することで、図６（Ｄ）に示すように、書込みトランジスタ２３が非導通状態となる。これにより、駆動トランジスタ２２のゲート電極は、信号線３３から電気的に切り離されるためにフローティング状態になる。
【００８０】
ここで、駆動トランジスタ２２のゲート電極がフローティング状態にあるときは、駆動トランジスタ２２のゲート−ソース間に保持容量２４が接続されていることによって、駆動トランジスタ２２のソース電圧Ｖｓの変動に連動して（追従して）ゲート電圧Ｖｇも変動する。このように、駆動トランジスタ２２のゲート電圧Ｖｇがソース電圧Ｖｓの変動に連動して変動する動作を、本明細書では保持容量２４によるブートストラップ動作と呼ぶこととする。
【００８１】
駆動トランジスタ２２のゲート電極がフローティング状態になり、それと同時に、駆動トランジスタ２２のドレイン−ソース間電流Ｉｄｓが有機ＥＬ素子２１に流れ始めることにより、当該ドレイン−ソース間電流Ｉｄｓに応じて有機ＥＬ素子２１のアノード電位が上昇する。
【００８２】
そして、有機ＥＬ素子２１のアノード電位がＶｔｈｅｌ＋Ｖｃａｔｈを越えると、有機ＥＬ素子２１に駆動電流が流れ始めるため有機ＥＬ素子２１が発光を開始する。また、有機ＥＬ素子２１のアノード電位の上昇は、即ち駆動トランジスタ２２のソース電圧Ｖｓの上昇に他ならない。駆動トランジスタ２２のソース電圧Ｖｓが上昇すると、保持容量２４のブートストラップ動作により、駆動トランジスタ２２のゲート電圧Ｖｇも連動して上昇する。
【００８３】
このとき、ブートストラップゲインが１（理想値）であると仮定した場合、ゲート電圧Ｖｇの上昇量はソース電圧Ｖｓの上昇量に等しくなる。故に、発光期間中駆動トランジスタ２２のゲート‐ソース間電圧ＶｇｓはＶｓｉｇ−Ｖｏｆｓ＋Ｖｔｈ−ΔＶで一定に保持される。そして、時刻ｔ８で信号線３３の電位が映像信号の信号電圧Ｖｓｉｇから基準電位Ｖｏｆｓに切り替わる。
【００８４】
以上説明した一連の回路動作において、閾値補正準備、閾値補正、信号電圧Ｖｓｉｇの書込み（信号書込み）および移動度補正の各処理動作は、１水平走査期間（１Ｈ）において実行される。また、信号書込みおよび移動度補正の各処理動作は、時刻ｔ６−ｔ７の期間において並行して実行される。
【００８５】
なお、ここでは、閾値補正処理を１回だけ実行する駆動法を採る場合を例に挙げて説明したが、この駆動法は一例に過ぎず、この駆動法に限られるものではない。例えば、閾値補正処理を移動度補正および信号書込み処理と共に行う１Ｈ期間に加えて、当該１Ｈ期間に先行する複数の水平走査期間に亘って分割して複数回実行する、いわゆる分割閾値補正を行う駆動法を採ることも可能である。
【００８６】
この分割閾値補正の駆動法を採用することにより、高精細化に伴う多画素化によって１水平走査期間に割り当てられる時間が短くなったとしても、閾値補正期間として複数の水平走査期間に亘って十分な時間を確保することができる。その結果、閾値補正処理を確実に行うことができる。
【００８７】
（閾値キャンセルの原理）
ここで、駆動トランジスタ２２の閾値補正（即ち、閾値キャンセル）の原理について説明する。閾値補正処理は、先述したように、駆動トランジスタ２２のゲート電圧Ｖｇの初期化電位Ｖｏｆｓを基準として当該電位Ｖｏｆｓから駆動トランジスタ２２の閾値電圧Ｖｔｈを減じた電位に向かって、駆動トランジスタ２２のソース電圧Ｖｓを変化させる処理である。
【００８８】
駆動トランジスタ２２は、飽和領域で動作するように設計されているために定電流源として動作する。定電流源として動作することで、有機ＥＬ素子２１に対して駆動トランジスタ２２から、次式（２）で与えられる一定のドレイン−ソース間電流（駆動電流）Ｉｄｓが供給される。
Ｉｄｓ＝（１／２）・μ（Ｗ／Ｌ）Ｃｏｘ（Ｖｇｓ−Ｖｔｈ）2     ……（２）
ここで、Ｗは駆動トランジスタ２２のチャネル幅、Ｌはチャネル長、Ｃｏｘは単位面積当たりのゲート容量である。
【００８９】
図７に、駆動トランジスタ２２のドレイン−ソース間電流Ｉｄｓ対ゲート−ソース間電圧Ｖｇｓの特性を示す。
【００９０】
この特性図に示すように、駆動トランジスタ２２の閾値電圧Ｖｔｈの画素ごとのばらつきに対する補正を行わないと、閾値電圧ＶｔｈがＶｔｈ１のとき、ゲート−ソース間電圧Ｖｇｓに対応するドレイン−ソース間電流ＩｄｓがＩｄｓ１になる。
【００９１】
これに対して、閾値電圧ＶｔｈがＶｔｈ２（Ｖｔｈ２＞Ｖｔｈ１）のとき、同じゲート−ソース間電圧Ｖｇｓに対応するドレイン−ソース間電流ＩｄｓがＩｄｓ２（Ｉｄｓ２＜Ｉｄｓ）になる。すなわち、駆動トランジスタ２２の閾値電圧Ｖｔｈが変動すると、当該駆動トランジスタ２２のゲート−ソース間電圧Ｖｇｓが一定であってもドレイン−ソース間電流Ｉｄｓが変動する。
【００９２】
一方、上記構成の画素（画素回路）２０では、先述したように、発光時の駆動トランジスタ２２のゲート−ソース間電圧ＶｇｓがＶｓｉｇ−Ｖｏｆｓ＋Ｖｔｈ−ΔＶであるために、これを式（２）に代入すると、ドレイン−ソース間電流Ｉｄｓは、次式（３）で表される。
Ｉｄｓ＝（１／２）・μ（Ｗ／Ｌ）Ｃｏｘ（Ｖｓｉｇ−Ｖｏｆｓ−ΔＶ）2 
……（３）
【００９３】
すなわち、駆動トランジスタ２２の閾値電圧Ｖｔｈの項がキャンセルされており、駆動トランジスタ２２から有機ＥＬ素子２１に供給されるドレイン−ソース間電流Ｉｄｓは、駆動トランジスタ２２の閾値電圧Ｖｔｈに依存しない。その結果、駆動トランジスタ２２の製造プロセスのばらつきや経時変化により、駆動トランジスタ２２の閾値電圧Ｖｔｈが画素ごとに変動したとしても、ドレイン−ソース間電流Ｉｄｓが変動しないために、有機ＥＬ素子２１の発光輝度を一定に保つことができる。
【００９４】
（移動度補正の原理）
続いて、駆動トランジスタ２２の移動度補正の原理について説明する。移動度補正処理は、先述したように、駆動トランジスタ２２に流れるドレイン−ソース間電流Ｉｄｓに応じた補正量ΔＶで駆動トランジスタ２２のゲート−ソース間の電位差に負帰還をかける処理である。この移動度補正処理により、駆動トランジスタ２２のドレイン−ソース間電流Ｉｄｓの移動度μに対する依存性を打ち消すことができる。
【００９５】
図８に、駆動トランジスタ２２の移動度μが相対的に大きい画素Ａと、駆動トランジスタ２２の移動度μが相対的に小さい画素Ｂとを比較した状態で特性カーブを示す。駆動トランジスタ２２をポリシリコン薄膜トランジスタなどで構成した場合、画素Ａや画素Ｂのように、画素間で移動度μがばらつくことは避けられない。
【００９６】
画素Ａと画素Ｂで移動度μにばらつきがある状態で、駆動トランジスタ２２のゲート電極に例えば両画素Ａ，Ｂに対して同レベルの信号振幅Ｖｉｎ（＝Ｖｓｉｇ−Ｖｏｆｓ）を書き込んだ場合を考える。この場合、移動度μの補正を何ら行わないと、移動度μの大きい画素Ａに流れるドレイン−ソース間電流Ｉｄｓ１′と移動度μの小さい画素Ｂに流れるドレイン−ソース間電流Ｉｄｓ２′との間には大きな差が生じてしまう。このように、移動度μの画素ごとのばらつきに起因してドレイン−ソース間電流Ｉｄｓに画素間で大きな差が生じると、画面のユニフォーミティが損なわれる。
【００９７】
ここで、先述した式（２）のトランジスタ特性式から明らかなように、移動度μが相対的に大きいとドレイン−ソース間電流Ｉｄｓが大きくなる。したがって、負帰還における帰還量ΔＶは移動度μが大きくなるほど大きくなる。図８に示すように、移動度μが相対的に大きな画素Ａの帰還量ΔＶ１は、移動度μが相対的に小さな画素Ｂの帰還量ΔＶ２に比べて大きい。
【００９８】
そこで、移動度補正処理によって駆動トランジスタ２２のドレイン−ソース間電流Ｉｄｓに応じた帰還量ΔＶでゲート−ソース間電圧Ｖｇｓに負帰還をかけることにより、移動度μが大きいほど負帰還が大きくかかることになる。その結果、移動度μの画素ごとのばらつきを抑制することができる。
【００９９】
具体的には、移動度μの大きな画素Ａで帰還量ΔＶ１の補正をかけると、ドレイン−ソース間電流ＩｄｓはＩｄｓ１′からＩｄｓ１まで大きく下降する。一方、移動度μの小さな画素Ｂの帰還量ΔＶ２は小さいために、ドレイン−ソース間電流ＩｄｓはＩｄｓ２′からＩｄｓ２までの下降となり、それ程大きく下降しない。結果的に、画素Ａのドレイン−ソース間電流Ｉｄｓ１と画素Ｂのドレイン−ソース間電流Ｉｄｓ２とはほぼ等しくなるために、移動度μの画素ごとのばらつきが補正される。
【０１００】
以上をまとめると、移動度μの異なる画素Ａと画素Ｂがあった場合、移動度μの大きい画素Ａの帰還量ΔＶ１は移動度μの小さい画素Ｂの帰還量ΔＶ２に比べて大きくなる。つまり、移動度μが大きい画素ほど帰還量ΔＶが大きく、ドレイン−ソース間電流Ｉｄｓの減少量が大きくなる。
【０１０１】
したがって、駆動トランジスタ２２のドレイン−ソース間電流Ｉｄｓに応じた帰還量ΔＶで、ゲート−ソース間電圧Ｖｇｓに負帰還をかけることで、移動度μの異なる画素のドレイン−ソース間電流Ｉｄｓの電流値が均一化される。その結果、移動度μの画素ごとのばらつきを補正することができる。すなわち、駆動トランジスタ２２に流れる電流（ドレイン−ソース間電流Ｉｄｓ）に応じた帰還量ΔＶで、駆動トランジスタ２２のゲート−ソース間電圧Ｖｇｓに負帰還をかける処理が移動度補正処理となる。
【０１０２】
ここで、図２に示した画素（画素回路）２０において、閾値補正、移動度補正の有無による映像信号の信号電位（サンプリング電位）Ｖｓｉｇと駆動トランジスタ２２のドレイン・ソース間電流Ｉｄｓとの関係について図９を用いて説明する。
【０１０３】
図９において、（Ａ）は閾値補正処理および移動度補正処理を共に行わない場合、（Ｂ）は移動度補正処理を行わず、閾値補正処理のみを行った場合、（Ｃ）は閾値補正処理および移動度補正処理を共に行った場合をそれぞれ示している。図９（Ａ）に示すように、閾値補正処理および移動度補正処理を共に行わない場合には、閾値電圧Ｖｔｈおよび移動度μの画素Ａ，Ｂごとのばらつきに起因してドレイン−ソース間電流Ｉｄｓに画素Ａ，Ｂ間で大きな差が生じることになる。
【０１０４】
これに対して、閾値補正処理のみを行った場合は、図９（Ｂ）に示すように、ドレイン−ソース間電流Ｉｄｓのばらつきをある程度低減できるものの、移動度μの画素Ａ，Ｂごとのばらつきに起因する画素Ａ，Ｂ間でのドレイン−ソース間電流Ｉｄｓの差は残る。そして、閾値補正処理および移動度補正処理を共に行うことで、図９（Ｃ）に示すように、閾値電圧Ｖｔｈおよび移動度μの画素Ａ，Ｂごとのばらつきに起因する画素Ａ，Ｂ間でのドレイン−ソース間電流Ｉｄｓの差をほぼ無くすことができる。したがって、どの階調においても有機ＥＬ素子２１の輝度ばらつきは発生せず、良好な画質の表示画像を得ることができる。
【０１０５】
また、図２に示した画素２０は、閾値補正および移動度補正の各補正機能に加えて、先述した保持容量２４によるブートストラップ動作の機能を備えていることで、次のような作用効果を得ることができる。
【０１０６】
すなわち、有機ＥＬ素子２１のＩ−Ｖ特性の経時変化に伴って駆動トランジスタ２２のソース電圧Ｖｓが変化したとしても、保持容量２４によるブートストラップ動作により、駆動トランジスタ２２のゲート−ソース間電位Ｖｇｓを一定に維持することができる。したがって、有機ＥＬ素子２１に流れる電流は変化せず一定となる。その結果、有機ＥＬ素子２１の発光輝度も一定に保たれるために、有機ＥＬ素子２１のＩ−Ｖ特性が経時変化したとしても、それに伴う輝度劣化のない画像表示を実現できる。
【０１０７】
（補助容量の必要性について）
図２の画素回路において、保持容量２４の容量値をＣｃｓ、駆動トランジスタ２２のゲート−ソース間の寄生容量の容量値をＣｇｓ、有機ＥＬ素子２１の等価容量の容量値をＣｅｌとする。このとき、映像信号の信号電圧Ｖｓｉｇを書き込むときの書込みゲインＧは次式（４）で与えられる。
Ｇ＝１−｛（Ｃｃｓ＋Ｃｇｓ）／（Ｃｃｓ＋Ｃｇｓ＋Ｃｅｌ）｝      …（４）
上式（４）から明らかなように、有機ＥＬ素子２１の等価容量の容量値Ｃｅｌが大きければ大きいほど、書込みゲインＧは１（理想値）に近づくことがわかる。
【０１０８】
一方、近年、表示装置の高精細化に伴って画素２０が益々微細化される傾向にある。画素２０が微細化されると、必然的に有機ＥＬ素子２１のサイズも小さくなる。すると、有機ＥＬ素子２１の等価容量の容量値Ｃｅｌが小さくなる。その結果、上記式（４）から明らかなように、書込みゲインＧが低下する。
【０１０９】
前にも述べたように、有機ＥＬ素子２１の容量不足を補うために、有機ＥＬ素子２１のアノード電極と固定電位ノードとの間に補助容量を付加する方策が採られる。補助容量を付加することにより、当該補助容量の容量値をＣｓｕｂとすると、書込みゲインＧは次式（５）で与えられる。
Ｇ＝１−｛（Ｃｃｓ＋Ｃｇｓ）／（Ｃｃｓ＋Ｃｇｓ＋Ｃｅｌ＋Ｃｓｕｂ）｝
…（５）
【０１１０】
上式（５）から明らかなように、有機ＥＬ素子２１のアノード電極と固定電位ノードとの間に補助容量を付加することで、有機ＥＬ素子２１のサイズが小さくても、書込みゲインＧを高めることができる。加えて、補助容量は有機ＥＬ素子２１の容量不足を補うことで、映像信号の信号電圧Ｖｓｉｇの書込み時における駆動トランジスタ２２のソース電圧Ｖｓの上昇を抑える作用を為す。
【０１１１】
この補助容量の作用により、保持容量２４に書き込まれた映像信号の信号電圧Ｖｓｉｇの振幅のロス、即ち駆動トランジスタ２２のゲート−ソース間電圧Ｖｇｓの減少がなくなるために、駆動トランジスタ２２の駆動電圧を確保できる。すなわち、入力された映像信号の信号電圧Ｖｓｉｇの振幅に応じた駆動電圧で有機ＥＬ素子２１を駆動できる。その結果、映像信号の信号電圧Ｖｓｉｇの振幅に対応した発光輝度を得ることができる。
【０１１２】
また、先述した移動度補正処理において、駆動トランジスタ２２のソース電圧Ｖｓの収束電圧は、閾値補正処理のときとは異なり一定ではない。何故なら、移動度補正処理時の駆動トランジスタ２２のゲート電圧Ｖｇが信号電圧Ｖｓｉｇであることと、有機ＥＬ素子２１をその閾値電圧Ｖｔｈｅｌ以下で動作させるために、移動度補正時間を短く設定する必要があるからである。因みに、閾値補正処理では、駆動トランジスタ２２の初期化電圧Ｖｏｆｓに対してソース電圧Ｖｓの収束電圧は、当該初期化電圧Ｖｏｆｓよりも駆動トランジスタ２２の閾値電圧Ｖｔｈだけ低い一定電圧（＝Ｖｏｆｓ−Ｖｔｈ）となる。
【０１１３】
白表示時の移動度補正処理についてさらに考える。移動度補正期間中は有機ＥＬ素子２１のアノード電圧（駆動トランジスタ２２のソース電圧Ｖｓ）を、カソード電圧Ｖｃａｔｈと有機ＥＬ素子２１の閾値電圧Ｖｔｈｅｌとの和（Ｖｃａｔｈ＋Ｖｔｈｅｌ）以下にする必要がある。
【０１１４】
ここで、有機ＥＬ素子２１の持つ寄生容量（等価容量）の容量値Ｃｅｌが小さければ小さいほど、白表示時の必要な駆動電流が大きければ大きいほど、駆動トランジスタ２２のソース電圧Ｖｓの上昇が早くなる。そのため、移動度補正処理が確実に行われるようにするためには移動度補正時間をより短くする必要がある。
【０１１５】
移動度補正時間ｔは、次式（６）で与えられる。
ｔ＝（Ｃｃｓ＋Ｃｅｌ）・ΔＶｓ／Ｉｄｓ                          …（６）
ここで、ΔＶｓは移動度補正動作における駆動トランジスタ２２のソース電圧Ｖｓの上昇量であり、Ｉｄｓは移動度補正時に流れる電流である。
上式（６）から明らかなように、移動度補正時の電流Ｉｄｓが大きければ大きいほど移動度補正時間ｔが短くなり、有機ＥＬ素子２１の等価容量の容量値Ｃｅｌが大きければ大きいほど移動度補正時間ｔが長くなる。
【０１１６】
移動度補正時間ｔが短いと、当該移動度補正時間ｔの制御が難しくなる。移動度補正時間ｔを長くすべく、有機ＥＬ素子２１の等価容量の容量値Ｃｅｌを大きくするために、有機ＥＬ素子２１のサイズを大きくするにも、画素２０の開口率の関係から限界がある。このような観点からも、有機ＥＬ素子２１のアノード電極と固定電位ノードとの間に補助容量を付加して、有機ＥＬ素子２１の容量不足を補うことが必要になる。
【０１１７】
また、前にも述べたように、有機ＥＬ素子２１の発光効率が発光色ごとに異なることによって駆動トランジスタ２２のサイズ（駆動能力）が発光色ごとに異なる。したがって、有機ＥＬ素子２１と補助容量の合成容量値が一定だと、発光色によって移動度補正時間ｔに違いが生じる。発光色に関係なく移動度補正時間ｔを一定にするためには、補助容量の容量値Ｃｓｕｂを発光色によって変える必要がある。
【０１１８】
すなわち、画素２０に付加する補助容量の容量値Ｃｓｕｂは、有機ＥＬ素子２１の発光色ごとに異なる。一例として、カラー画像を形成する単位となる１つの画素が、Ｒ（赤）Ｇ（緑）Ｂ（青）の３つの画素（副画素）からなる場合を例に挙げると、Ｒ，Ｇ，Ｂの画素で補助容量の容量値Ｃｓｕｂが異なるということである。
【０１１９】
（補助容量のレイアウト）
表示装置の大型化に対応して有機ＥＬ素子２１の必要な駆動電流が大きくなると、発光色ごとの有機ＥＬ素子２１の寄生容量Ｃｅｌの差もより大きくなってしまう。そのため、画素２０に付加する補助容量のサイズは非常に大きなものとなる。このような大きなサイズの補助容量をレイアウトするには、一例として、図１０に示すような画素レイアウトがとられる。
【０１２０】
すなわち、ＲＧＢの３つ画素（副画素）を単位として繰返し配列されるカラー配列において、水平方向において隣接する２つの画素同士を、当該２つの画素の境界線Ｏに関して線対称な画素レイアウトとする。このような画素レイアウト構造を採ることにより、画素列ごとに垂直方向に配線される信号線３３Ｒ，３３Ｇ，３３Ｂが、境界線Ｏ側の辺と反対側の辺に沿って延在することになる。
【０１２１】
その結果、図１０に示すように、境界線Ｏ側の辺の近傍に信号線３３Ｒ，３３Ｇ，３３Ｂが存在しないことになるために、補助容量２５を２つの画素間に跨って隣接画素の領域にも作成可能になる。そして、補助容量２５を２つの画素間に跨って形成できることで、大きなサイズの補助容量２５をレイアウトすることが可能になる。図１０には、一例として、Ｂ画素用の補助容量２５Ｂについて示している。
【０１２２】
（レーザーアニールについて）
ところで、低温ポリシリコンＴＦＴでは、一般的に、アモルファスシリコンを結晶化させるためにエキシマレーザーアニール法（ＥＬＡ法）を用いている。しかし、エキシマレーザーアニール法で作成したＴＦＴは大きな移動度が得られる反面、その閾値電圧や移動度のばらつきが大きく、さらにそれらがスジ状にばらつくという問題がある。
【０１２３】
これに対して、ＴＦＴのアモルファスシリコンを固定レーザー等によってアニールしてその熱でアモルファスシリコンをアニールし、微結晶化させるレーザー熱アニール法（ＬＴＡ（Laser Thermal Annealing）法）がある。このレーザー熱アニール法では、閾値電圧や移動度のばらつきが小さいために、それに起因する輝度ばらつきが視認されにくく、さらにアモルファスシリコンの２〜３倍程度の移動度を得ることができる。
【０１２４】
ここで、レーザーアニールについて考える。図１１に、レーザーアニールをするときの画素レイアウトを示す。図１１において、（Ａ）は画素レイアウトの平面図、（Ｂ）は平面図（Ａ）のＡ−Ａ´線の断面図である。
【０１２５】
レーザーアニール工程は、Ａｌ（アルミニウム）蒸着工程よりも前の工程であるため、画素内にはＡｌは存在しない。また、図１１では、アモルファスシリコン層は島状に形成されているが、実際のレーザーアニール時にはアモルファスシリコン層はパネル全面に成膜されている。
【０１２６】
レーザーによるアニールは、アモルファスシリコン層がパネル全面に成膜されている状態でレーザー光を基板に照射し、その光で基板を加熱してアモルファスシリコンを微結晶化させるというものである。また、レーザー熱アニール法では、図１１に示すように、レーザーを画素の特定の箇所のみに照射することができるため、レーザーを照射しない部分に低融点金属（例えば、Ａｌ）で低抵抗配線を行うことが可能になる。低抵抗配線を行うことで、配線抵抗に起因する信号の伝搬遅延を大幅に緩和することができる。その結果、表示パネルの大型化が行い易くなるというメリットがある。
【０１２７】
ここで、図１０に示す画素レイアウトに対してレーザーアニールを行う場合について考える。図１２に、図１０に示す画素レイアウトの場合のレーザーアニール時の金属配線のレイアウトを示す。図１２では、一例として、Ｂ画素に他の色よりも大きなサイズの補助容量２５Ｂを付加する場合について示している。Ｒ，Ｇの画素の補助容量については、図示を省略している。
【０１２８】
図１２において、Ｂ画素は水平方向において２画素おきの繰返し配置となるために、Ｒ画素とＧ画素とが線対称で隣接する部分には補助容量２５Ｂが形成されない。すなわち、サイズが一番大きいＢ画素用の補助容量２５Ｂを隣接画素の領域に亘って作成するとした場合、当該補助容量２５Ｂは、Ｂ画素と隣接するＲ画素間およびＢ画素と隣接するＧ画素間に跨って形成され、隣接するＲ，Ｇの画素間には形成されない。
【０１２９】
図１０、図１２に示すように、水平方向において隣接する２つの画素同士を境界線Ｏに関して線対称にレイアウトすることで、大きなサイズの補助容量２５Ｂを形成できることは前述した通りである。しかしながら、図１２に示す画素レイアウト、即ち補助容量２５Ｂが形成されない画素対が存在する画素レイアウトにおいては、Ｒ画素のみ、Ｇ画素のみを見た場合に、補助容量２５Ｂを形成する金属層の有り無しが１ラインごとに発生してしまう。
【０１３０】
このため、前にも述べたように、レーザーアニール工程において、補助容量２５Ｂの金属パターンの有り無しによってＴＦＴ上のアモルファスシリコンへの熱の伝わり方が異なるという状況が発生するためにＴＦＴ特性がばらついてしまう。その結果、１ラインごとにスジが発生するために表示画像の画質が損なわれる。
【０１３１】
上述した問題点に鑑み、本発明は、補助容量が水平方向において隣接する２つの画素間に跨って形成される画素レイアウト構造において、レーザーアニールによるＴＦＴ特性を一定にするための画素レイアウト構造を提供する。以下に、本発明の具体的な実施例について説明する。
【０１３２】
＜２．実施例１＞
（画素回路）
図１３は、実施例１に係る画素２０Ａの画素回路を示す回路図であり、図中、図２と同等部分には同一符号を付して示している。
【０１３３】
図１３に示すように、本実施例１に係る画素２０Ａは、有機ＥＬ素子２１の駆動回路として、駆動トランジスタ２２、書込みトランジスタ２３および保持容量２４に加えて、補助容量２５を有する構成となっている。補助容量２５は、有機ＥＬ素子２１のアノード電極（駆動トランジスタ２２のソース電極）と固定電位ノードである共通電源供給線３４との間に接続されている。
【０１３４】
（画素レイアウト）
図１４は、実施例１に係る画素２０Ａの画素レイアウトを示す平面図であり、図中、図１２と同等部分には同一符号を付して示している。ここでは、一例として、Ｂ画素用の補助容量２５Ｂをレイアウトする場合について示している。Ｒ，Ｇの画素の補助容量については、図示を省略している。先述したように、Ｂ画素用の補助容量２５Ｂは、他の色の補助容量に比べてサイズが大きいとしている。
【０１３５】
図１４において、サイズが一番大きいＢ画素用の補助容量２５Ｂを隣接画素の領域に亘ってレイアウトするとした場合、当該補助容量２５Ｂは、特定の２つの画素、即ちＢ画素と隣接するＲ画素間およびＢ画素と隣接するＧ画素間に跨って形成される。一方、特定の２つの画素以外の２つの画素間、即ち隣接するＲ，Ｇの画素間には補助容量２５Ｂは形成されない。
【０１３６】
そこで、本実施例１に係る画素レイアウト構造においては、図１４に示すように、この補助容量２５Ｂが形成されないＲ，Ｇの画素間の領域、即ち補助容量２５Ｂと対応する部位に島状の金属パターン２６を形成する。この金属パターン２６は、Ｂ画素用の補助容量２５Ｂの金属パターンのダミーパターンとなる。ここで、金属パターン２６は、補助容量２５Ｂの金属パターンと全く同じパターンである必要はない。
【０１３７】
上述したような実施例１に係る画素レイアウト構造を採ることにより、いずれの２つの画素間にも、Ｂ画素用の補助容量２５Ｂに対応した金属パターンが存在することになる。これにより、レーザーアニール時にＴＦＴ上のアモルファスシリコンへの熱の伝わり方が大きく変わってしまうのを防ぐことができる。
【０１３８】
すなわち、実施例１に係る画素レイアウト構造によれば、レーザーアニール時にＴＦＴ上のアモルファスシリコンへの熱の伝わり方が一様（一定）になる。これにより、レーザーアニールによるＴＦＴ特性を一定とすることができるために、ＴＦＴの特性ばらつきに起因するようなムラのない均一な画質を得ることができる。
【０１３９】
また、先述したように、レーザー熱アニール法では、レーザーを画素の特定の箇所のみに照射することができるため、レーザーを照射しない部分に低融点金属（例えば、Ａｌ）で低抵抗配線を行うことが可能になる。本例では、信号線３３Ｒ，３３Ｇ，３３Ｂについて、レーザーを照射しない部分を低抵抗配線としている。
【０１４０】
このように、信号線３３Ｒ，３３Ｇ，３３Ｂの一部に低抵抗配線を用いることで、映像信号の信号電圧Ｖｓｉｇや基準電位Ｖｏｆｓの伝搬遅延を大幅に緩和することができるために、表示パネル７０の大型化が行い易くなる。なお、信号線３３Ｒ，３３Ｇ，３３Ｂにおいて、レーザーを照射する箇所については他の層の配線を用いられ。当該配線と電気的にコンタクトがとられることになる。
【０１４１】
＜３．実施例２＞
（画素回路）
図１５は、実施例２に係る画素２０Ｂの画素回路を示す回路図であり、図中、図２と同等部分には同一符号を付して示している。
【０１４２】
図１５に示すように、本実施例２に係る画素２０Ｂは、有機ＥＬ素子２１の駆動回路として、駆動トランジスタ２２、書込みトランジスタ２３および保持容量２４に加えて、補助容量２４を有する構成となっている。補助容量２４は、有機ＥＬ素子２１のアノード電極（駆動トランジスタ２２のソース電極）と、画素行の走査方向における前段の画素行の電源供給線３２との間に接続されている。
【０１４３】
具体的には、図１５において、図の上側から下側に向けて行走査が行われるとしたときに、ｉ行目の画素２０Ｂｉの補助容量２５は、一端が有機ＥＬ素子２１のアノード電極に接続され、他端がｉ−１行目（前段）の電源供給線３２ｉ−１に接続されている。先述した図４のタイミング波形図に基づく動作説明から明らかなように、電源供給線３２の電位ＤＳは、閾値補正準備期間（ｔ１−ｔ３）で低電位Ｖｓｓとなり、それ以外の期間では高電位Ｖｃｃとなる。
【０１４４】
そして、自段（ｉ段目）の画素行の駆動時には、前段（ｉ−１）の画素行の電源供給線３２ｉ−１の電位は高電位Ｖｃｃにあり、擬似的に固定電位の状態にある。したがって、ｉ段目が選択され、補助容量２５がその機能を果たすときには、ｉ段目の画素行の補助容量２５にとっては、ｉ−１行目の電源供給線３２ｉ−１は固定電位ノードとなる。これにより、補助容量２５は先述した機能、即ち有機ＥＬ素子２１の容量不足を補う機能を十全に果たすことができる。
【０１４５】
このように、補助容量２５の他端を前段の電源供給線３２に接続する構成を採る実施例２に係る画素レイアウト構造を採る場合においても、実施例１の場合と同様のレイアウト構造とする。すなわち、図１４に示すように、補助容量２５Ｂが形成されないＲ，Ｇの画素間の領域にも島状の金属パターン２６をダミーパターンとして形成するレイアウト構造とする。これにより、実施例１に係る画素レイアウト構造の場合と同様の作用効果を得ることができる。
【０１４６】
また、電源供給線３２の配線に当たっては、前段の画素行の電源供給線３２を自段の画素行における補助容量２５Ｂを形成する領域の上方に配線するようにする。そして、図１６に示すように、金属パターン２６の水平方向の両端部にてコンタクト部２７Ａ，２７Ｂを介して電源供給線３２と電気的に接続するようにする。この構成を採ることにより、金属パターン２６と、電源供給線３２の金属パターン２６に対応する部分とが並列接続となるために、金属パターン２６と並列接続しない場合に比べて、電源供給線３２の配線抵抗の低抵抗化を実現できる。
【０１４７】
これにより、電源供給線３２の配線抵抗を金属パターン２６と並列接続しない場合と同程度でよいとした場合は、低抵抗化できる分だけ電源供給線３２の配線幅を狭くすることができる。その結果、画素２０の微細化を図ることができるとともに、配線間のショートの発生頻度を抑えることによって高歩留まり化に寄与できる。
【０１４８】
また、電源供給線３２の配線抵抗の低抵抗化を実現できることで、電源供給線３２の負かを軽減できるために、表示パネル７０の大型化・高精細化が実現可能になる。さらに、電源供給線３２の配線抵抗による電圧降下を抑えることができる。これにより、高階調表示時と低階調表示時における電源供給線３２の電位ＤＳの差分を小さくすることができるために、クロストークのような画質不良の発生を抑えることができる。
【０１４９】
＜４．変形例＞
上記実施形態では、有機ＥＬ素子２１の駆動回路が、基本的に、駆動トランジスタ２２および書込みトランジスタ２３の２つのトランジスタ（Ｔｒ）を有する２Ｔｒ構成の場合を例に挙げて説明したが、本発明はこの２Ｔｒ構成への適用に限られるものではない。
【０１５０】
２Ｔｒ以外には、例えば、有機ＥＬ素子２１の発光／非発光を制御するトランジスタを有したり、駆動トランジスタ２２のゲート電極に基準電位Ｖｏｆｓを選択的に書き込むスイッチングトランジスタを有したりする画素構成など、種々の画素構成のものが考えられる。発光／非発光を制御するトランジスタを有する画素構成を採る場合には、画素に電源電位を供給する電源供給線の電位は高電位Ｖｃｃに固定となる。この電源供給線に対しても、金属パターン２６との並列接続によって低抵抗化を図る技術を適用できる。
【０１５１】
また、上記実施形態では、隣接する２つの画素が当該２つの画素の境界線Ｏに関して線対称な画素レイアウトの場合を例に挙げたが、２つの画素に跨って補助容量２５を形成可能な画素レイアウトであれば、線対称な画素レイアウトに限られるものではない。
【０１５２】
さらに、上記実施形態では、画素の電気光学素子として、有機ＥＬ素子を用いた有機ＥＬ表示装置に適用した場合を例に挙げて説明したが、本発明はこの適用例に限られるものではない。具体的には、本発明は、無機ＥＬ素子、ＬＥＤ素子、半導体レーザー素子等、デバイスに流れる電流値に応じて発光輝度が変化する電流駆動型の電気光学素子（発光素子）を用いた表示装置全般に対して適用可能である。
【０１５３】
＜５．適用例＞
以上説明した本発明による表示装置は、電子機器に入力された映像信号、若しくは、電子機器内で生成した映像信号を、画像若しくは映像として表示するあらゆる分野の電子機器の表示装置に適用することが可能である。
【０１５４】
本発明による表示装置によれば、レーザーアニールによるＴＦＴ特性を一定とすることができるために、スジのない均一な画質を得ることができる。したがって、あらゆる分野の電子機器の表示装置として本発明による表示装置を用いることで、当該電子機器の表示装置の表示品質の向上を図ることができる。
【０１５５】
本発明による表示装置は、封止された構成のモジュール形状のものをも含む。このモジュール形状のものとしては、例えば、画素アレイ部に透明なガラス等の対向部が貼り付けられて形成された表示モジュールが該当する。この透明な対向部には、カラーフィルタ、保護膜等、さらには、上記した遮光膜が設けられてもよい。なお、表示モジュールには、外部から画素アレイ部への信号等を入出力するための回路部やＦＰＣ（フレキシブルプリントサーキット）等が設けられていてもよい。
【０１５６】
以下に、本発明が適用される電子機器の具体例について説明する。一例として、図１７〜図２１に示す様々な電子機器、例えば、デジタルカメラ、ノート型パーソナルコンピュータ、携帯電話機等の携帯端末装置、ビデオカメラなどの表示装置に本発明を適用することが可能である。
【０１５７】
図１７は、本発明が適用されるテレビジョンセットの外観を示す斜視図である。本適用例に係るテレビジョンセットは、フロントパネル１０２やフィルターガラス１０３等から構成される映像表示画面部１０１を含んでいる。そして、映像表示画面部１０１として本発明による表示装置を用いることにより、本適用例に係るテレビジョンセットが作製される。
【０１５８】
図１８は、本発明が適用されるデジタルカメラの外観を示す斜視図であり、（Ａ）は表側から見た斜視図、（Ｂ）は裏側から見た斜視図である。本適用例に係るデジタルカメラは、フラッシュ用の発光部１１１、表示部１１２、メニュースイッチ１１３、シャッターボタン１１４等を含んでいる。そして、表示部１１２として本発明による表示装置を用いることにより、本適用例に係るデジタルカメラが作製される。
【０１５９】
図１９は、本発明が適用されるノート型パーソナルコンピュータの外観を示す斜視図である。本適用例に係るノート型パーソナルコンピュータは、本体１２１に、文字等を入力するときに操作されるキーボード１２２、画像を表示する表示部１２３等を含んでいる。そして、表示部１２３として本発明による表示装置を用いることにより、本適用例に係るノート型パーソナルコンピュータが作製される。
【０１６０】
図２０は、本発明が適用されるビデオカメラの外観を示す斜視図である。本適用例に係るビデオカメラは、本体部１３１、前方を向いた側面に被写体撮影用のレンズ１３２、撮影時のスタート／ストップスイッチ１３３、表示部１３４等を含んでいる。そして、表示部１３４として本発明による表示装置を用いることにより、本適用例に係るビデオカメラが作製される。
【０１６１】
図２１は、本発明が適用される携帯端末装置、例えば携帯電話機を示す外観図であり、（Ａ）は開いた状態での正面図、（Ｂ）はその側面図、（Ｃ）は閉じた状態での正面図、（Ｄ）は左側面図、（Ｅ）は右側面図、（Ｆ）は上面図、（Ｇ）は下面図である。
【０１６２】
本適用例に係る携帯電話機は、上側筐体１４１、下側筐体１４２、連結部（ここではヒンジ部）１４３、ディスプレイ１４４、サブディスプレイ１４５、ピクチャーライト１４６、カメラ１４７等を含んでいる。そして、ディスプレイ１４４やサブディスプレイ１４５として本発明による表示装置を用いることにより、本適用例に係る携帯電話機が作製される。
【図面の簡単な説明】
【０１６３】
【図１】本発明の基本例に係る有機ＥＬ表示装置の構成の概略を示すシステム構成図である。
【図２】画素の基本的な回路構成を示す回路図である。
【図３】画素の断面構造の一例を示す断面図である。
【図４】本基本例に係る有機ＥＬ表示装置の回路動作の説明に供するタイミング波形図である。
【図５】本基本例に係る有機ＥＬ表示装置の回路動作の説明に供する動作説明図（その１）である。
【図６】本基本例に係る有機ＥＬ表示装置の回路動作の説明に供する動作説明図（その２）である。
【図７】駆動トランジスタの閾値電圧Ｖｔｈのばらつきに起因する課題の説明に供する特性図である。
【図８】駆動トランジスタの移動度μのばらつきに起因する課題の説明に供する特性図である。
【図９】閾値補正、移動度補正の有無による映像信号の信号電圧Ｖｓｉｇと駆動トランジスタのドレイン・ソース間電流Ｉｄｓとの関係の説明に供する特性図である。
【図１０】画素レイアウトの基本形を示す図である。
【図１１】レーザーアニールをするときの画素レイアウトを示す図であり、（Ａ）は平面図、（Ｂ）は断面図である。
【図１２】図１０に示す画素レイアウトの場合のレーザーアニール時の金属配線のレイアウトを示す図である。
【図１３】実施例１に係る画素回路を示す回路図である。
【図１４】実施例１に係る画素の画素レイアウトを示す平面図である。
【図１５】実施例２に係る画素回路を示す回路図である。
【図１６】実施例２に係る画素の画素レイアウトを示す平面図である。
【図１７】本発明が適用されるテレビジョンセットの外観を示す斜視図である。
【図１８】本発明が適用されるデジタルカメラの外観を示す斜視図であり、（Ａ）は表側から見た斜視図、（Ｂ）は裏側から見た斜視図である。
【図１９】本発明が適用されるノート型パーソナルコンピュータの外観を示す斜視図である。
【図２０】本発明が適用されるビデオカメラの外観を示す斜視図である。
【図２１】本発明が適用される携帯電話機を示す外観図であり、（Ａ）は開いた状態での正面図、（Ｂ）はその側面図、（Ｃ）は閉じた状態での正面図、（Ｄ）は左側面図、（Ｅ）は右側面図、（Ｆ）は上面図、（Ｇ）は下面図である。
【符号の説明】
【０１６４】
１０…有機ＥＬ表示装置、２０，２０Ａ，２０Ｂ…画素（画素回路）、２１…有機ＥＬ素子、２２…駆動トランジスタ、２３…書込みトランジスタ、２４…保持容量、２５…補助容量、２６…金属パターン（ダミーパターン）、２７Ａ，２７Ｂ…コンタクト部、３０…画素アレイ部、３１（３１−１〜３１−ｍ）…走査線、３２（３２−１〜３２−ｍ）…電源供給線、３３（３３−１〜３３−ｎ，３３Ｒ，３３Ｇ，３３Ｂ）…信号線、３４…共通電源供給線、４０…書込み走査回路、５０…電源供給走査回路、６０…信号出力回路、７０…表示パネル、ＷＳ（ＷＳ１〜ＷＳｍ）…走査線の電位（書込み走査信号）、ＤＳ（ＤＳ１〜ＤＳｍ）…電源供給線の電位（電源電位）
【図１】
2010145444.tif 000003
【図２】
2010145444.tif 000004
【図３】
2010145444.tif 000005
【図４】
2010145444.tif 000006
【図５】
2010145444.tif 000007
【図６】
2010145444.tif 000008
【図７】
2010145444.tif 000009
【図８】
2010145444.tif 000010
【図９】
2010145444.tif 000011
【図１０】
2010145444.tif 000012
【図１１】
2010145444.tif 000013
【図１２】
2010145444.tif 000014
【図１３】
2010145444.tif 000015
【図１４】
2010145444.tif 000016
【図１５】
2010145444.tif 000017
【図１６】
2010145444.tif 000018
【図１７】
2010145444.tif 000019
【図１８】
2010145444.tif 000020
【図１９】
2010145444.tif 000021
【図２０】
2010145444.tif 000022
【図２１】
2010145444.tif 000023